(57)【特許請求の範囲】
【請求項１】
画像表示手順情報に従って複数の画像を所定順序で表示部にスクロール表示させる表示制御部を備えた画像表示装置であって、
前記画像表示手順情報は、前記スクロール表示させる画像を指定する画像指定情報と、当該画像指定情報によって指定される画像の表示位置を指定する位置情報が記録された複数のレコードからなる表示位置情報とで構成され、前記表示制御部は、前記複数のレコードを順次入力すると共に前記画像指定情報によって指定された画像を前記位置情報に基づく所定の表示位置に表示させると共に、その画像におけるスクロール方向の前後に前記所定順序で表示すべき画像を特定し、前記画像指定情報によって指定された画像に対応する画像データと、その画像の前後に表示すべき画像にそれぞれ対応する画像データとに基づいて当該各画像を前記所定の順序で配置した画像についての画像データを生成し、
前記スクロール表示させる画像についての表示領域を規定する表示領域情報に基づいて、前記生成した画像データから前記表示領域情報によって規定された前記表示範囲に対応する画素データを抽出し、当該抽出した画素データに対応する画像を前記表示部に表示させて、前記特定した画像を前記指定された画像における前記スクロール方向の前後に表示させることを特徴とする画像表示装置。
【発明の詳細な説明】
【０００１】
【発明の属する技術分野】
本発明は、遊技機、広告宣伝用表示器および当り機能付き自動販売機などに搭載されて複数の画像を所定順序でスクロール表示する画像表示装置に関するものである。
【０００２】
【従来の技術】
例えば、パチンコ台などの遊技機には、各種表示画像を表示させるための画像表示装置が搭載されている。この画像表示装置は、例えば、図１１に示すように、横方向に並ぶ３つのリール１５ａ〜１５ｃ（以下、区別しないときには「リール１５」ともいう）を表示する。この場合、各リール１５は、例えば、数字の「１」〜「９」が昇順でスクロール表示されることにより、表示部１１上で恰も回転しているかの如く表示される。また、各リール１５は、「１」〜「９」のスクロール速度が適宜調節されることにより、停止状態から回転して所定の回転速に達した後に、回転速を徐々に低下させられて、回転開始時から所定時間経過したときに停止する。この画像表示装置では、図１２に示すように、数字の「１」〜「９」がそれぞれ描かれた画像Ｇ１〜Ｇ９を昇順で上下方向に連結した画素データ抽出用画像を特定する画素データ抽出用データＤ１１を用いて、リール１５をスクロール表示させるための表示用画像ＧH11 ，ＧH12 ・・（図１４参照。以下、区別しないときには「表示用画像ＧH 」ともいう）を生成する。この場合、画素データ抽出用画像は、リール１５の回転時に、画像Ｇ１の前に表示されるべき画像Ｇ９が画像Ｇ１の下に連結されると共に画像Ｇ９の次に表示されるべき画像Ｇ１が画像Ｇ９の上に連結されて構成されている。また、画素データ抽出用画像（画素データ抽出用データＤ１１）には、表示用画像ＧH の生成時に画素データを読み出すためのアドレス番号が最上部の画像Ｇ１の左上端から最下部の画像Ｇ９における右下端まで順に付与されている。
【０００３】
この画素データ抽出用画像を用いて、例えば図１１に示すように、表示画面Ｍの上下方向中央に「１」が表示されたリール１５ａを表示させる際に、概念的には、図１３（ａ）に示すように、画素データ抽出用画像における画像Ｇ１が上下方向中央に位置するように、画像Ｇ２，Ｇ１，Ｇ９の上に表示枠Ｘ１１を重ね合わせる。この場合、表示枠Ｘ１１は、１つのリール１５についての表示部１１への表示可能範囲を示す枠であって、スクロール方向に対する長さが表示部１１の表示枠の縦長と等しく規定され、横幅が表示部１１に表示される各リール１５の横幅と等しく規定されている。次に、画素データ抽出用画像から表示枠Ｘ１１が重なり合う部位の画素データを抽出することにより、図１４（ａ）に示すように、表示用画像ＧH11 を生成する。なお、実際の画像処理時には、表示枠Ｘ１１に相当する表示可能範囲に含まれる画素データ抽出用画像上のアドレス番号を演算し、そのアドレス番号に基づいて画素データ抽出用画像から画素データを読み出している。この後、リール１５ｂ，１５ｃについても同様にして表示用画像ＧH11 ，ＧH11 を生成し、各リール１５ａ〜１５ｃについてのそれぞれの表示用画像ＧH11 ，ＧH11 ，ＧH11 を横方向に並べて表示させる。これにより、図１１に示すように、リール１５ａ〜１５ｃ横方向に並んだ表示画面Ｍが表示部１１に表示される。
【０００４】
一方、リール１５を回転させる際には（下方にスクロール表示させる際には）、図１３（ｂ）に示すように、画素データ抽出用画像に対する表示枠Ｘ１１の重ね合わせ位置を上方に移動させる。次に、画素データ抽出用画像における表示枠Ｘ１１と重なり合う部位の画素データを抽出し、図１４（ｂ）に示すように、表示用画像ＧH12 を生成する。この場合、表示用画像ＧH12 は、表示用画像ＧH11 に対して、数字の「１」が下方に移動したように表示される。また、図１３（ｃ）に示すように、画像Ｇ２が上下方向中央に位置するように表示枠Ｘ１１を移動させた際には、図１４（ｃ）に示す表示用画像ＧH1L （Ｌは自然数）のように、「１」の下半分が表示画面Ｍから外れて表示されずに、「２」が画面上下方向中央に表示され、かつ「３」の下半分が表示画面Ｍ内に表示される。このように、画素データ抽出用画像に対する表示枠Ｘ１１の移動（図１２における矢印Ａの向きへの移動）と、表示枠Ｘ１１に重なり合う部位の画素データの抽出とを繰り返して行うことにより、表示部１１上で「１」が徐々に下方に移動する。この結果、リール１５ａが下向きに回転しているようにスクロール表示される。
【０００５】
【発明が解決しようとする課題】
ところが、従来の画像表示装置には、以下の問題点がある。すなわち、従来の画像表示装置では、画素データ抽出用画像に対する表示枠Ｘ１１の重ね合わせ位置を上方に順次移動させつつ、表示枠Ｘ１１に重なり合う部位の画素データを抽出することで、リール１５を回転表示させるための表示用画像ＧH11 ，ＧH12 ・・を生成している。この場合、１つのリール１５を表示部１１に表示させるために必要となるのは、最大でも３つの画像のみであるにも拘わらず、この画像表示装置では、画像Ｇ１〜Ｇ９とその上下に連結した画像Ｇ１，Ｇ９との合計１１の画像からなる画素データ抽出用画像をメモリ上に展開する必要がある。このため、画素データ抽出用画像（画素データ抽出用データＤ１１）を展開するための作業用メモリとして大容量メモリが必要となるという問題点がある。
【０００６】
また、従来の画像表示装置では、画素データ抽出用画像から表示枠Ｘ１１に重なり合う部位の画素データを抽出して表示用画像ＧH11 ，ＧH12 ・・を生成している。この場合、画素データの抽出に際しては、画素データ抽出用データＤ１１の（画素データ抽出用画像上の）連続するアドレス番号に表示枠Ｘ１１を重ね合わせる必要がある。したがって、従来の画像表示装置では、昇順で連結した画像Ｇ１〜Ｇ９の上下に画像Ｇ１，Ｇ９を連結することで、画像Ｇ９の次に表示すべき画像Ｇ１や、画像Ｇ１の前に表示すべき画像Ｇ９を含む表示用画像ＧH を生成している。このため、連結した画像Ｇ１，Ｇ９の分だけ同一の数字が描かれた画像が重複する結果、画素データ抽出用データＤ１１が大容量になるという問題点がある。また、図１５に示すように、例えばリール１５ａ〜１５ｃの表示部１１への表示範囲を上下方向に拡げる場合、「１」の下に「９」、「８」を表示させ、かつ「９」の上に「１」、「２」を表示させる必要がある。このため、この際には、図１６に示すように、昇順で連結した画像Ｇ１〜Ｇ９の上下に画像Ｇ２，Ｇ１および画像Ｇ９，Ｇ８を連結した画素データ抽出用画像（画素データ抽出用データＤ１１ａ）を使用する必要がある。したがって、従来の画像表示装置には、画素データ抽出用画像内に重複画像がさらに増えることに起因して、画素データ抽出用画像を特定する画素データ抽出用データＤ１１ａのデータ容量が一層大容量になるという問題点がある。
【０００７】
さらに、従来の画像表示装置では、画像Ｇ１〜Ｇ９を上下方向に連結した画素データ抽出用画像を用いて表示用画像ＧH ，ＧH ・・を生成している。このため、数字が横方向にスクロールするようにリールを回転表示させる場合、図１７に示すように、画像Ｇ１〜Ｇ９を横方向に連結した画素データ抽出用画像を特定する画素データ抽出用データＤ１１ｂを別途用意する必要がある。このため、上下方向に回転するリール（例えばリール１５）と、横方向に回転するリールとを同一の画像表示装置で表示させるときには、それぞれのリール専用の画素データ抽出用データＤ１１，Ｄ１１ｂを別個独立して使用しなくてはならず、両画素データ抽出用データＤ１１，Ｄ１１ｂを記憶させるために大容量のメモリが必要となるという問題点がある。
【０００８】
本発明は、かかる問題点に鑑みてなされたものであり、画像のスクロール表示に必要とされるデータ容量を小さくつつ各種スクロール方法で画像を表示し得る画像表示装置を提供することを主目的とする。
【０００９】
上記目的を達成すべく本発明の画像表示装置は、画像表示手順情報に従って複数の画像を所定順序で表示部にスクロール表示させる表示制御部を備えた画像表示装置であって、
前記画像表示手順情報は、前記スクロール表示させる画像を指定する画像指定情報と、当該画像指定情報によって指定される画像の表示位置を指定する位置情報が記録された複数のレコードからなる表示位置情報とで構成され、前記表示制御部は、前記複数のレコードを順次入力すると共に前記画像指定情報によって指定された画像を前記位置情報に基づく所定の表示位置に表示させると共に、その画像におけるスクロール方向の前後に前記所定順序で表示すべき画像を特定し、前記画像指定情報によって指定された画像に対応する画像データと、その画像の前後に表示すべき画像にそれぞれ対応する画像データとに基づいて当該各画像を前記所定の順序で配置した画像についての画像データを生成し、前記スクロール表示させる画像についての表示領域を規定する表示領域情報に基づいて、前記生成した画像データから前記表示領域情報によって規定された前記表示範囲に対応する画素データを抽出し、当該抽出した画素データに対応する画像を前記表示部に表示させて、前記特定した画像を前記指定された画像における前記スクロール方向の前後に表示させることを特徴とする。
【００１１】
【発明の実施の形態】
以下、添付図面を参照して、本発明に係る画像表示装置の好適な実施の形態について説明する。
【００１２】
最初に、遊技装置１の構成について、図面を参照して説明する。
【００１３】
遊技装置１は、図１に示すように、表示ユニット２、画像データ記憶用メモリ３、表示手順データ記憶用メモリ４、主制御部５および図外の遊技機構を備えている。この場合、主制御部５は、遊技機構および表示ユニット２の双方を総括的に制御する。なお、本発明についての理解を容易とするために遊技機構に関する詳細な説明を省略する。
【００１４】
表示ユニット２は、本発明における画像表示装置に相当し、表示部１１、制御部１２、ＲＡＭ１３ａ，１３ｂおよびＲＯＭ１４を備え、画像データ記憶用メモリ３および表示手順データ記憶用メモリ４を接続可能に構成されている。この表示ユニット２は、遊技機に搭載可能な箱状にパッケージングされ、主制御部５の制御下で各種表示画像を表示する。表示部１１は、特に限定されないが、例えばカラー表示可能なＬＣＤパネルで構成されている。制御部１２は、本発明における表示制御部に相当し、画像データ記憶用メモリ３を介して入力される画像データ（図２に示す画像Ｇ１〜Ｇ９のデータ）と、表示手順データ記憶用メモリ４を介して入力される表示範囲データ（図４に示す表示枠Ｘ１についてのデータ）、画像表示制御テーブルＴ（図３参照）および表示手順データＰとに基づいてリール１５ａ〜１５ｃを回転表示させるための画像信号Ｓを生成する。ＲＡＭ１３ａは、制御部１２の演算結果、画像データ記憶用メモリ３から読み出した画像データ、並びに表示手順データ記憶用メモリ４から読み出した表示範囲データ、画像表示制御テーブルＴおよび表示手順データＰなどを一時的に記憶し、ＲＡＭ１３ｂは、後述するように表示用画像ＧH1，ＧH2・・（図５参照）を生成するための画素データ抽出用画像を特定する画素データ抽出用データＤ１，Ｄ２・・を一時的に記憶する。ＲＯＭ１４は、制御部１２の動作プログラムを記憶する。
【００１５】
画像データ記憶用メモリ３および表示手順データ記憶用メモリ４は、画像データ、画像表示制御テーブルＴおよび表示手順データＰなどの各種データを図外のパーソナルコンピュータから表示ユニット２に転送するための記録媒体であって、例えばＥＥＰＲＯＭでそれぞれ構成されている。この画像データ記憶用メモリ３および表示手順データ記憶用メモリ４は、パーソナルコンピュータに接続されたＲＯＭライタを介して各種データを書き込み可能に構成されると共に、表示ユニット２に対して着脱自在に構成されている。なお、画像Ｇ１〜Ｇ９についての画像データ、表示枠Ｘ１についての表示範囲データ、画像表示制御テーブルＴおよび表示手順データＰなどは、パーソナルコンピュータ上で予め生成される。
【００１６】
表示枠Ｘ１についての表示範囲データは、本発明における表示領域情報に相当し、１つのリール１５に関する表示部１１への表示可能範囲を規定するためのデータで構成されている。この場合、表示枠Ｘ１は、一例として、スクロール方向に対する長さが表示部１１の表示枠の縦長と等しく規定され、その横幅が表示部１１に表示される各リール１５の横幅と等しく規定されている。一方、画像表示制御テーブルＴは、本発明における表示位置情報に相当し、遊技装置１に電源が投入されている状態において表示ユニット２に対して表示させるリール１５ａ〜１５ｃの表示手順を記録している。この画像表示制御テーブルＴは、図３に示すように、リール１５ａ〜１５ｃの各々に表示すべき画像（画像Ｇ１〜Ｇ９）の表示位置に関する位置情報がそれぞれ記録された多数のレコード１，２・・で構成されている。この場合、図１１に示すように、表示部１１に表示される表示画面Ｍには、例えば、その左上から右下に亘って画像Ｇ１〜Ｇ９を表示するための座標（（Ｘ０，Ｙ０）〜（Ｘ１４４，Ｙ９６））が付与されている。また、画像表示制御テーブルＴの各レコードには、例えば画像Ｇ１における左上の原点Ｏ１（図１０参照）を配置すべき表示画面Ｍ上の座標が記録されている。表示手順データＰは、各リール１５ａ〜１５ｃに最初に表示させる画像を指定する画像指定情報や、各リール１５ａ〜１５ｃのスクロール速度に関する速度パラメータなどを記録する。この場合、画像指定情報は、一例として電源投入直後に数字の「１」、「２」、「３」をリール１５ａ〜１５ｃにそれぞれ表示させるように、画像Ｇ１，Ｇ２，Ｇ３をそれぞれ指示する値で構成されている。
【００１７】
次に、表示ユニット２によるリール１５の表示手順について、図面を参照して説明する。
【００１８】
まず、遊技装置１に電源が投入されると、制御部１２は、画像Ｇ１〜Ｇ９についての画像データ、表示枠Ｘ１についての表示範囲データ、画像表示制御テーブルＴおよび表示手順データＰを画像データ記憶用メモリ３および表示手順データ記憶用メモリ４から読み出してそれぞれＲＡＭ１３ａに記憶させる。次に、制御部１２は、画像表示制御テーブルＴにおけるレコード１のデータ内容に従って各リール１５ａ〜１５ｃ毎の表示用画像ＧH1，ＧH1，ＧH1を生成する。なお、本発明についての理解を容易とするために、以下、リール１５ａについての画像処理を中心にして説明する。具体的には、まず、制御部１２は、図４に示す画素データ抽出用画像（画素データ抽出用データＤ１）をＲＡＭ１３ｂ内に仮想的に展開する。この際には、図４（ａ）に示すように、制御部１２は、表示手順データＰの画像指定情報によって指定された画像（画像Ｇ１）を、その原点Ｏ１が座標（Ｘ０，Ｙ２４）に一致するように仮想的に配置する。この場合、配置した画像Ｇ１の上方（座標（Ｘ０，Ｙ０）〜座標（Ｘ４８，Ｙ２４）の間）と、画像Ｇ１の下方（座標（Ｘ０，Ｙ７２）〜座標（Ｘ４８，Ｙ９６）の間）とにそれぞれ空白が生じる。したがって、制御部１２は、「１」〜「９」の所定順序でスクロール表示させるために、画像Ｇ１の上方および下方に画像Ｇ２，Ｇ９を仮想的に配置する。これにより、画素データ抽出用画像が展開される。
【００１９】
次に、制御部１２は、画素データ抽出用画像の座標（Ｘ０，Ｙ０）〜座標（Ｘ４８，Ｙ９６）の間（表示枠Ｘ１によって囲われた部位）の画素データを抽出することにより、図５（ａ）に示すように、リール１５ａについての表示用画像ＧH1を生成する。この後、制御部１２は、リール１５ｂ，１５ｃについても同様にして表示用画像ＧH1，ＧH1を生成した後、各リール１５ａ〜１５ｃについての表示用画像ＧH1，ＧH1，ＧH1を横方向に並べて画像信号Ｓを生成し、生成した画像信号Ｓを表示部１１に出力する。これにより、図１１に示すように、「１」、「２」、「３」をそれぞれ表示したリール１５ａ〜１５ｃが表示部１１に表示される。
【００２０】
一方、遊技装置１の遊技機構において、変動作動口に打球が入賞した際には、主制御部５は、制御部１２に対して、リール１５ａ〜１５ｃを構成する画像Ｇ１〜Ｇ９を画像表示制御テーブルＴのレコード２，３・・の記録内容に従ってそれぞれスクロール表示させた後に各リール１５ａ〜１５ｃ毎に所定の停止数字を表示させる。具体的には、遊技装置１の遊技機構において、変動作動口に打球が所定のタイミングで入賞した際に、主制御部５は、リール１５ａ〜１５ｃを例えば「７７７」で停止させる旨のデータを表示ユニット２に出力する。これに応じて、制御部１２は、画像表示制御テーブルＴにおけるレコード２の記録内容に従って、各リール１５ａ〜１５ｃについての表示用画像ＧH2，ＧH2，ＧH2を生成する。この際に、制御部１２は、図４（ｂ）に示すように、まず、画像Ｇ１の原点Ｏ１が座標（Ｘ０，Ｙ２５）に一致するように画像Ｇ１を配置すると共に、画像Ｇ１の上方および下方に画像Ｇ２，Ｇ９をそれぞれ配置する。これにより、画素データ抽出用画像（画素データ抽出用データＤ２）がＲＡＭ１３ｂ内に展開される。次に、制御部１２は、画素データ抽出用画像Ｄ２の座標（Ｘ０，Ｙ０）〜座標（Ｘ４８，Ｙ９６）の間（表示枠Ｘ１によって囲われた部位）の画素データを抽出することにより、図５（ｂ）に示すように、表示用画像ＧH2を生成する。この後、リール１５ｂ，１５ｃについても同様にして表示用画像ＧH2，ＧH2を生成した後、画像信号Ｓを生成して出力する。以後、制御部１２は、画像表示制御テーブルＴのレコード３，４・・の記録内容に従って、画素データ抽出用画像（画素データ抽出用データＤ３，Ｄ４・・）の展開と、表示用画像ＧH3，ＧH4・・の生成と、画像信号Ｓの生成および出力とを順次実行する。
【００２１】
この場合、図４（ｃ）に示すように、画像Ｇ１の原点Ｏ１が座標（Ｘ０，Ｙ４８）に一致するように画像Ｇ１を配置するレコード２４では、画像Ｇ１の上方のみに空白が生じる。したがって、制御部１２は、画像Ｇ１の上方に画像Ｇ２を配置して画素データ抽出用画像（画素データ抽出用データＤ２４）をＲＡＭ１３ｂ内に展開する。次に、制御部１２は、画素データ抽出用画像Ｄ２４の座標（Ｘ０，Ｙ０）〜座標（Ｘ４８，Ｙ９６）の間（表示枠Ｘ１によって囲われた部位）の画素データを抽出することにより、図５（ｃ）に示すように、画像Ｇ１，Ｇ２のみに基づく表示用画像ＧH24 を生成する。この後、リール１５ｂ，１５ｃについても同様にして表示用画像ＧH24 ，ＧH24 を生成した後、画像信号Ｓを生成して出力する。また、図６（ａ）に示すように、画像Ｇ１の原点Ｏ１が座標（Ｘ０，Ｙ４９）に一致するように画像Ｇ１を配置するレコード２５では、画像Ｇ１の上方に２つの画像を配置可能な空白が生じる。したがって、制御部１２は、画像Ｇ１の上方に画像Ｇ２，Ｇ３を順に配置して画素データ抽出用画像（画素データ抽出用データＤ２５）をＲＡＭ１３ｂ内に展開する。次に、制御部１２は、画素データ抽出用画像Ｄ２５の座標（Ｘ０，Ｙ０）〜座標（Ｘ４８，Ｙ９６）の間（表示枠Ｘ１によって囲われた部位）の画素データを抽出することにより、図７（ａ）に示すように、画像Ｇ１〜Ｇ３に基づく表示用画像ＧH25 を生成する。この後、リール１５ｂ，１５ｃについても同様にして表示用画像ＧH25 ，ＧH25 を生成した後、画像信号Ｓを生成して出力する。
【００２２】
以後、制御部１２は、画像表示制御テーブルＴのレコード２６，２７・・の記録内容に従って、画素データ抽出用画像（画素データ抽出用データＤ２６，Ｄ２７・・）の展開と、表示用画像ＧH26 ，ＧH27 ・・の生成と、画像信号Ｓの生成および出力とを順次実行する。この場合、図６（ｂ）に示すように、画像Ｇ１の原点Ｏ１が座標（Ｘ０，Ｙ７１）に一致するように画像Ｇ１を配置するレコード４７（図３参照）では、画像Ｇ１の上方に２つの画像を配置可能な空白が生じる。したがって、制御部１２は、画像Ｇ１の上方に画像Ｇ２，Ｇ３を順に配置して画素データ抽出用画像（画素データ抽出用データＤ４７）をＲＡＭ１３ｂ内に展開する。次に、制御部１２は、画素データ抽出用画像Ｄ４７の座標（Ｘ０，Ｙ０）〜座標（Ｘ４８，Ｙ９６）の間（表示枠Ｘ１によって囲われた部位）の画素データを抽出することにより、図７（ｂ）に示すように、画像Ｇ１〜Ｇ３に基づく表示用画像ＧH47 を生成する。この後、リール１５ｂ，１５ｃについても同様にして表示用画像ＧH47 ，ＧH47 を生成した後、画像信号Ｓを生成して出力する。
【００２３】
一方、画像表示制御テーブルＴのレコード４７に基づく画像処理を完了した後に、制御部１２は、表示手順データＰの画像指定情報に従って、ＲＡＭ１３ｂ内に最初に展開する画像を画像Ｇ２に変更し、画像表示制御テーブルＴのレコード１，２・・の記録内容に従って上記の画像処理を順次実行する。具体的には、図６（ｃ）に示すように、まず、レコード１の記録内容に従って画像Ｇ２の原点Ｏ１が座標（Ｘ０，Ｙ２５）に一致するように画像Ｇ２を配置すると共に、画像Ｇ２の上方および下方に画像Ｇ３，Ｇ１をそれぞれ配置する。これにより、画素データ抽出用画像（画素データ抽出用データＤ４８）がＲＡＭ１３ｂ内に展開される。次に、制御部１２は、画素データ抽出用画像Ｄ４８の座標（Ｘ０，Ｙ０）〜座標（Ｘ４８，Ｙ９６）の間（表示枠Ｘ１によって囲われた部位）の画素データを抽出することにより、図７（ｃ）に示すように、表示用画像ＧH48 を生成する。
【００２４】
この表示用画像ＧH48 は、数字の「２」が上下方向の中央に表示される。したがって、最初に表示された表示用画像ＧH1において上下方向中央に表示されていた「１」が「２」にスクロールされるまで（図１０（ａ）の状態から同図（ｂ）の状態となるまで）の間に、画像表示制御テーブルＴにおける４７個のレコード（１回目に参照するレコード１〜４７、および２回目に参照するレコード１）に従って、画像処理が消化される。この後、リール１５ｂ，１５ｃについても同様にして表示用画像ＧH48 ，ＧH48 を生成した後、画像信号Ｓを生成して出力する。以後、制御部１２は、画像表示制御テーブルＴのレコード２，３・・の記録内容に従って、画素データ抽出用画像（画素データ抽出用データＤ４９，Ｄ５０・・）の展開と、表示用画像ＧH49 ，ＧH50 ・・の生成と、画像信号Ｓの生成および出力とを順次実行する。
【００２５】
この場合、制御部１２は、前述した表示手順データＰの速度パラメータに基づいて、各表示用画像ＧH を表示させる表示時間を決定し、決定した表示時間に応じた所定時間だけ、その表示用画像ＧHに基づく画像信号Ｓを出力する。したがって、各リール１５ａ〜１５ｃのそれぞれ速度パラメータ、すなわち、各リール１５ａ〜１５ｃ毎の表示用画像ＧH の表示時間を短くすることで、数字のスクロール速度、すなわちリール１５ａ〜１５ｃの回転速度が高められる。また、表示用画像ＧH の表示時間を長くすることで、リール１５ａ〜１５ｃの回転速度が低下する。なお、表示手順データにおける表示用画像ＧH2以降の速度パラメータとしては、リール１５ａ〜１５ｃの回転速度を徐々に高め、所定の回転速度に達した後に、回転速を徐々に低下させて停止させるための値が記録されている。したがって、制御部１２は、表示用画像ＧH1，ＧH2・・に基づく画像信号Ｓを表示手順データＰに従って順次生成して出力することで、回転開始時から所定時間経過したときに、「７」、「７」、「７」を表示した状態で各リール１５ａ〜１５ｃを停止させる。
【００２６】
このように、この表示ユニット２によれば、制御部１２が画像表示制御テーブルＴにおける各レコードの記録内容と表示手順データＰの画像指定情報とに従って画像Ｇ１〜Ｇ９から表示部１１にスクロール表示させる画像を特定して画素データ抽出用画像として展開し、この画素データ抽出用画像に基づいて表示用画像ＧH を生成して表示させることにより、従来の画像表示装置とは異なり、画像Ｇ１〜Ｇ９のすべてを連結した画素データ抽出用画像が不要となる結果、リール１５のスクロール表示に要する画素データ抽出用データのデータ容量を十分に小さくすることができる。また、この表示ユニット２では、その表示時点で表示部１１に表示させるために必要十分な画像を展開して画素データ抽出用画像を生成することにより、従来の画像表示装置で使用していた画素データ抽出用画像とは異なり、画像Ｇ１，Ｇ９が重複することのない画素データ抽出用画像を使用してスクロール表示させることができる。したがって、リール１５のスクロール表示に要するデータ容量を必要最低限の容量まで小さくすることができる。
【００２７】
また、この表示ユニット２では、例えば、図８（ｂ）に示すように、「１」の下方に「９」、「８」を連続して表示させる表示用画像ＧHAを生成するときであっても、同図（ａ）に示すように画像Ｇ２，Ｇ１，Ｇ９，Ｇ８に対応する画像データのみをＲＡＭ１３ａから読み出すだけでＲＡＭ１３ｂ内に画素データ抽出用画像（画素データ抽出用データＤａ）を展開することができる。また、数字を横方向にスクロールさせる際にも、例えば、図９（ａ）に示すように、画像Ｇ２，Ｇ１，Ｇ９に対応する画像データのみを読み出して横方向に連結して画素データ抽出用画像（画素データ抽出用データＤｂ）を展開することにより、同図（ｂ）に示す表示用画像ＧHBを生成することができる。したがって、従来の画像表示装置とは異なり、表示範囲の大きさや、スクロール方向の違い毎に異なる画素データ抽出用画像を予め用意する必要がないため、各種のスクロール表示を行う場合であっても、そのスクロール表示に要するデータ容量を十分に小さくすることができる。
【００２８】
さらに、この表示ユニット２では、画像Ｇ１〜Ｇ９をＲＡＭ１３ｂ内に展開して画素データ抽出用画像を生成し、この画素データ抽出用画像の表示枠Ｘ１に含まれる画素データを抽出することで表示用画像ＧHを生成している。このため、例えば画像指定情報によって指定された画像に対応する画像データから表示領域に対応する画素データを抽出し、加えて、その画像の前後に表示すべき２つの画像に対応する各画像データから表示領域に対応する画素データをそれぞれ抽出し、３回の抽出処理によって抽出した各画素データに基づく３つの画像を表示領域内に表示させる表示方法と比較して、その処理に比較的時間を必要とする画素データの抽出処理を１回行うだけで表示領域全体に対応する画素データを抽出することができるため、スクロール表示に要する処理時間を短縮することができる。
【００２９】
なお、本発明は、上記した本発明の実施の形態に限定されない。例えば、本発明の実施の形態では、表示ユニット２を遊技装置１に搭載した例を挙げて説明したが、本発明における画像表示装置の搭載対象はこれに限定されず、当たり機能付きの自動販売機や広告宣伝用表示器などに搭載することができる。また、本発明の実施の形態では、画像Ｇ１〜Ｇ９を循環的に表示させるスクロール表示を例に挙げて説明したが、本発明におけるスクロール表示は、循環的表示に限定されず、複数の画像について最初から最後まで順にスクロール表示させる各種のスクロール表示が含まれる。
【００３０】
【発明の効果】
以上のように、本発明の画像表示装置によれば、表示制御部が、順次入力したレコード内の位置情報に基づく所定の表示位置に画像指定情報によって指定された画像を表示させると共に、その画像におけるスクロール方向の前後に所定順序で表示すべき画像を特定し、その特定した画像を指定された画像におけるスクロール方向の前後に表示させることにより、スクロール表示に必要な画像についてのみ画像処理するだけで複数の画像を順次スクロール表示させることができるため、例えばすべての画像を連結した画素データ抽出用画像を用いたスクロール表示方法とは異なり、スクロール表示に要する画像データのデータ容量を十分に小さくすることができる。
【００３１】
また、本発明の画像表示装置によれば、画像指定情報によって指定された画像と、その画像の前後に表示すべき画像とを所定の順序で配置した画像についての画像データを生成し、生成した画像データから表示範囲に対応する画素データを表示領域情報に基づいて抽出し、抽出した画素データに対応する画像を表示部に表示させることにより、例えば画像指定情報によって指定された画像に対応する画像データから表示領域に対応する画素データを抽出し、加えて、その画像の前後に表示すべき２つの画像に対応する各画像データから表示領域に対応する画素データをそれぞれ抽出し、３回の抽出処理によって抽出した各画素データに基づく３つの画像を表示領域内に表示させる表示方法と比較して、その処理に比較的時間を必要とする画素データの抽出処理を１回行うだけで表示領域全体に対応する画素データを抽出することができるため、スクロール表示に要する処理時間を十分に短縮することができる。
【図面の簡単な説明】
【図１】本発明の実施の形態に係る遊技装置１の構成を示すブロック図である。
【図２】表示ユニット２によってスクロール表示される画像Ｇ１〜Ｇ９の表示画像図である。
【図３】画像表示制御テーブルＴの一例を示すデータ構造図である。
【図４】ＲＡＭ１３ｂに展開した画素データ抽出用画像の展開図であって、（ａ）は画像表示制御テーブルＴにおけるレコード１の記録内容に従って展開した画素データ抽出用画像（画素データ抽出用データＤ１）の展開図、（ｂ）はレコード２の記録内容に従って展開した画素データ抽出用画像（画素データ抽出用データＤ２）の展開図、（ｃ）はレコード２４の記録内容に従って展開した画素データ抽出用画像（画素データ抽出用データＤ２４）の展開図である。
【図５】（ａ）は画素データ抽出用画像（画素データ抽出用データＤ１）に基づいて生成した表示用画像ＧH1の表示画像図、（ｂ）は画素データ抽出用画像（画素データ抽出用データＤ２）に基づいて生成した表示用画像ＧH2の表示画像図、（ｃ）は画素データ抽出用画像（画素データ抽出用データＤ２４）に基づいて生成した表示用画像ＧH24 の表示画像図である。
【図６】（ａ）は画像表示制御テーブルＴにおけるレコード２５の記録内容に従って展開した画素データ抽出用画像（画素データ抽出用データＤ２５）の展開図、（ｂ）はレコード４７の記録内容に従って展開した画素データ抽出用画像（画素データ抽出用データＤ４７）の展開図、（ｃ）は、画像Ｇ２を最初に展開する画像としてレコード１の記録内容に従って展開した画素データ抽出用画像（画素データ抽出用データＤ４８）の展開図である。
【図７】（ａ）は画素データ抽出用画像（画素データ抽出用データＤ２５）に基づいて生成した表示用画像ＧH25 の表示画像図、（ｂ）は画素データ抽出用画像（画素データ抽出用データＤ４７）に基づいて生成した表示用画像ＧH47 の表示画像図、（ｃ）は画素データ抽出用画像（画素データ抽出用データＤ４８）に基づいて生成した表示用画像ＧH48 の表示画像図である。
【図８】（ａ）はＲＡＭ１３ｂ内に展開した画素データ抽出用画像（画素データ抽出用データＤａ）の展開図、（ｂ）は画素データ抽出用画像（画素データ抽出用データＤａ）に基づいて生成した表示用画像ＧHAの表示画像図である。
【図９】（ａ）はＲＡＭ１３ｂ内に展開した画素データ抽出用画像（画素データ抽出用データＤｂ）の展開図、（ｂ）は画素データ抽出用画像（画素データ抽出用データＤｂ）に基づいて生成した表示用画像ＧHBの表示画像図である。
【図１０】（ａ）は数字の「１」が上下方向中央に表示された状態の表示画面図、（ｂ）は数字の「２」が上下方向中央に表示された状態の表示画面図である。
【図１１】表示部１１にリール１５ａ〜１５ｃを表示させた状態の表示画面図である。
【図１２】従来の画像表示装置で使用される画素データ抽出用画像（画素データ抽出用データＤ１１）の構成を概念的に示した構成図である。
【図１３】（ａ）は画素データ抽出用画像（画素データ抽出用データＤ１１）から表示用画像ＧH11 を生成する際の表示枠Ｘ１１の重ね合わせ位置を示す説明図、（ｂ）は表示用画像ＧH12 を生成する際の表示枠Ｘ１１の重ね合わせ位置を示す説明図、（ｃ）は表示用画像ＧH1L を生成する際の表示枠Ｘ１１の重ね合わせ位置を示す説明図である。
【図１４】（ａ）は表示用画像ＧH11 の表示画像図、（ｂ）は表示用画像ＧH12 の表示画像図、（ｃ）は表示用画像ＧH1L の表示画像図である。
【図１５】リール１５ａ〜１５ｃの表示範囲を上下方向に拡大した状態の表示画面図である。
【図１６】画素データ抽出用画像（画素データ抽出用データＤ１１ａ）の構成を概念的に示した構成図である。
【図１７】画素データ抽出用画像（画素データ抽出用データＤ１１ｂ）の構成を概念的に示した構成図である。
【符号の説明】
１  遊技装置
２  表示ユニット
３  画像データ記憶用メモリ
４  表示手順データ記憶用メモリ
５  主制御部
１１  表示部
１２  制御部
１３ａ，１３ｂ  ＲＡＭ
１４  ＲＯＭ
１５，１５ａ〜１５ｃ  リール
Ｄ１，Ｄ２・・  画素データ抽出用データ（画素データ抽出用画像）
Ｇ１〜Ｇ９  画像
ＧH1，ＧH2・・  表示用画像
Ｍ  表示画面
Ｐ  表示手順データ
Ｓ  画像信号
Ｔ  画像表示制御テーブル
Ｘ１  表示枠
【図１】
0003810290.tif 000002
【図２】
0003810290.tif 000003
【図３】
0003810290.tif 000004
【図４】
0003810290.tif 000005
【図５】
0003810290.tif 000006
【図６】
0003810290.tif 000007
【図７】
0003810290.tif 000008
【図８】
0003810290.tif 000009
【図９】
0003810290.tif 000010
【図１０】
0003810290.tif 000011
【図１１】
0003810290.tif 000012
【図１２】
0003810290.tif 000013
【図１３】
0003810290.tif 000014
【図１４】
0003810290.tif 000015
【図１５】
0003810290.tif 000016
【図１６】
0003810290.tif 000017
【図１７】
0003810290.tif 000018